(57)【要約】【課題】装着が容易となり、かつ、使用時に装着具が下衣の上に露出しない装着具一体型下衣を提供する。【解決手段】本発明に係る装着具一体型下衣１は、下衣２と、下衣の内面に取付けられた人体吊り上げ用の装着具３とを備える。人体吊り上げ用の装着具３が、尻当部６と、尻当部より尻当部の左右に延長する尻腹支持ベルト７と、尻当部より尻当部の左右に延長する尻腰支持ベルト８と、左右の吊部１０とを備え、尻当部が、下衣の尻部の中央部下に相当する位置に取付けられ、左の吊部が、吊位置に至った尻腹支持ベルトの左端部と尻腰支持ベルトの左端部とに連結されるとともに、右の吊部が、吊位置に至った尻腹支持ベルトの右端部と尻腰支持ベルトの右端部とに連結されて、これら左右の吊部が吊られる。【選択図】図３
2017225505.tif 000002
【特許請求の範囲】
【請求項１】
下衣と、下衣の内面に取付けられた人体吊り上げ用の装着具とを備えたことを特徴とする装着具一体型下衣。
【請求項２】
人体吊り上げ用の装着具が、尻当部と、尻当部より尻当部の左右に延長する尻腹支持ベルトと、尻当部より尻当部の左右に延長する尻腰支持ベルトと、左右の吊部とを備え、
尻当部が、下衣の尻部の中央部下に相当する位置に取付けられ、
尻腹支持ベルトの左端部が、下衣の左尻部に相当する位置、及び、下衣の左腹部に相当する位置を経由して、下衣の左腹部と左腰部との境界位置に相当する吊位置に至り、
尻腹支持ベルトの右端部が、下衣の尻右部に相当する位置、及び、下衣の右腹部に相当する位置を経由して、下衣の右腹部と右腰部との境界位置に相当する吊位置に至り、
尻腰支持ベルトの左端部が、下衣の左尻部に相当する位置、下衣の左下腹部に相当する位置、及び、下衣の左腰部に相当する位置を経由して、下衣の左腹部と左腰部との境界位置に相当する吊位置に至り、
尻腰支持ベルトの右端部が、下衣の右尻部に相当する位置、下衣の右下腹部に相当する位置、及び、下衣の右腰部に相当する位置を経由して、下衣の右腹部と右腰部との境界位置に相当する吊位置に至り、
左の吊部が、吊位置に至った尻腹支持ベルトの左端部と尻腰支持ベルトの左端部とに連結されるとともに、右の吊部が、吊位置に至った尻腹支持ベルトの右端部と尻腰支持ベルトの右端部とに連結されて、これら左右の吊部が吊られることを特徴とする請求項１に記載の装着具一体型下衣。
【請求項３】
尻当部より尻当部の左右に延長する股保持部を備え、
股保持部の左部分が、下衣の股下に相当する位置から下衣の左脚前側の付け根に相当する位置に沿って下衣の左腰部に相当する位置まで延長するように下衣の内面に取付けられ、
股保持部の右部分が、下衣の股下に相当する位置から下衣の右脚前側の付け根に相当する位置に沿って下衣の右腰部に相当する位置まで延長するように下衣の内面に取付けられたことを特徴とする請求項２に記載の装着具一体型下衣。
【請求項４】
尻当部がサドルを備え、サドルが下衣を穿く使用者の尻の左右の中央部下の凹部に係合する形状に形成されたことを特徴とする請求項２又は請求項３に記載の装着具一体型下衣。
【請求項５】
下衣は、下衣の前側が下衣の左右の中心線に沿って延長するように設けられた切断部と、切断部を開閉する開閉部材とを備え、開閉部材を開くことで展開可能に構成されたことを特徴とする請求項１乃至請求項４のいずれか一項に記載の装着具一体型下衣。
【発明の詳細な説明】
【技術分野】
【０００１】
本発明は、本発明は体重免荷式の歩行支援装置に用いられる人体吊り上げ用の装着具に関する。
【背景技術】
【０００２】
体重免荷式の歩行支援装置は、例えば図８に示すように、キャスター(車輪）９９を備えたベースフレーム１００より立ち上がる左右の支柱１０１；１０１の上端にヒンジ１０２を介してＵ字状の支持テーブル１０３が揺動可能に設けられており、支持テーブル１０３の前端部の下面には機構吊下げ点１０４が設けられ、支持テーブル１０３の後端部の左右の下面にはそれぞれ人体吊下げ点１０５；１０５が設けられているとともに、体重免荷装置１０６を備え、一端が体重免荷装置１０６に連結されたロープ１０７の他端が機構吊下げ点１０４にフックなどの連結具１０８を介して連結されている。そして、高齢者、要介護者、リハビリ訓練者等の使用者Ａがズボン等の下衣Ｂの上に装着する人体吊り上げ用の装着具１１０の左右の吊部１１１；１１１がフックなどの連結具１１２；１１２を介して人体吊下げ点１０５；１０５に連結されることにより、当該歩行支援装置を使用する使用者Ａは、体重免荷装置１０６により、体重負荷が軽減された状態で歩行可能となる。
上述した装着具として、股下が痛くならず、長時間の使用に耐えられるように構成された装着具が知られている（特許文献１参照）。
【先行技術文献】
【特許文献】
【０００３】
【特許文献１】特開２００７−２０２９４６号公報
【発明の概要】
【発明が解決しようとする課題】
【０００４】
しかしながら、上述した人体吊り上げ用の装着具は下半身に着る服であるズボン等の下衣の上に装着するものであるため、使用者が下衣を穿く作業と装着具を装着する作業とを別々に行ったり、あるいは、補助者が使用者に下衣を穿かせる作業と装着具を装着する作業とを別々に行わなければならず、使用者や補助者にとってこれらの作業は、手間及び時間がかかって面倒であり、また、使用者にとって苦痛を伴う可能性もある。さらに、装着具が下衣の上に露出するため、使用者が羞恥心を抱いて、使用に抵抗を感じることもあった。
本発明は、装着が容易となり、かつ、使用時に装着具が下衣の上に露出しない装着具一体型下衣を提供する。
【課題を解決するための手段】
【０００５】
本発明に係る歩行支援装置は、下衣と、下衣の内面に取付けられた人体吊り上げ用の装着具とを備えたので、装着が容易となり、かつ、使用時に装着具が下衣の上に露出しない装着具一体型下衣を提供できる。
また、人体吊り上げ用の装着具が、尻当部と、尻当部より尻当部の左右に延長する尻腹支持ベルトと、尻当部より尻当部の左右に延長する尻腰支持ベルトと、左右の吊部とを備え、尻当部が、下衣の尻部の中央部下に相当する位置に取付けられ、尻腹支持ベルトの左端部が、下衣の左尻部に相当する位置、及び、下衣の左腹部に相当する位置を経由して、下衣の左腹部と左腰部との境界位置に相当する吊位置に至り、尻腹支持ベルトの右端部が、下衣の尻右部に相当する位置、及び、下衣の右腹部に相当する位置を経由して、下衣の右腹部と右腰部との境界位置に相当する吊位置に至り、尻腰支持ベルトの左端部が、下衣の左尻部に相当する位置、下衣の左下腹部に相当する位置、及び、下衣の左腰部に相当する位置を経由して、下衣の左腹部と左腰部との境界位置に相当する吊位置に至り、尻腰支持ベルトの右端部が、下衣の右尻部に相当する位置、下衣の右下腹部に相当する位置、及び、下衣の右腰部に相当する位置を経由して、下衣の右腹部と右腰部との境界位置に相当する吊位置に至り、左の吊部が、吊位置に至った尻腹支持ベルトの左端部と尻腰支持ベルトの左端部とに連結されるとともに、右の吊部が、吊位置に至った尻腹支持ベルトの右端部と尻腰支持ベルトの右端部とに連結されて、これら左右の吊部が吊られることを特徴とするので、尻当部，尻腹支持ベルト，尻腰支持ベルトによって使用者の坐骨が支持されて使用者が吊り上げられ、使用者の股下に吊り上げ力による力がかかり難くなるので、股下が痛くならず、長時間の使用に耐えられる装着具一体型下衣が得られる。
また、尻当部より尻当部の左右に延長する股保持部を備え、股保持部の左部分が、下衣の股下に相当する位置から下衣の左脚前側の付け根に相当する位置に沿って下衣の左腰部に相当する位置まで延長するように下衣の内面に取付けられ、股保持部の右部分が、下衣の股下に相当する位置から下衣の右脚前側の付け根に相当する位置に沿って下衣の右腰部に相当する位置まで延長するように下衣の内面に取付けられたので、使用者の股下部分を安定に保持できる。また、股保持部には吊り上げ力が加わらないので、股下が痛くならず、長時間の使用に耐えられる装着具一体型下衣が得られる。
また、尻当部がサドルを備え、サドルが下衣を穿く使用者の尻の左右の中央部下の凹部に係合する形状に形成されたので、サドルが使用者の坐骨を正確に支持するため、長時間の使用によっても股下が痛くならない装着具一体型下衣が得られる。
また、下衣は、下衣の前側が下衣の左右の中心線に沿って延長するように設けられた切断部と、切断部を開閉する開閉部材とを備え、開閉部材を開くことで展開可能に構成されたので、例えばベッドや布団に寝た状態の人の脚の下に展開した装着具一体型下衣を敷き、ベッドや布団に寝た状態の人の下半身に簡単に装着可能な装着具一体型下衣となる。
【図面の簡単な説明】
【０００６】
【図１】ａ図は装着具一体型下衣の正面図、ｂ図は下衣の内側に取付けられる装着具の正面図（実施形態１）。
【図２】ａ図は装着具一体型下衣の背面図、ｂ図は下衣の内側に取付けられる装着具の背面図（実施形態１）。
【図３】ａ図は装着具一体型下衣の左側面図、ｂ図は下衣の内側に取付けられる装着具の左側面図（実施形態１）。
【図４】尻当部を示す図であり、ａ図は内面図、ｂ図はａ図のＡ−Ａ断面図、ｃ図はａ図のＢ−Ｂ断面図（実施形態１）。
【図５】ａ図は装着具一体型下衣の正面図、ｂ図は下衣の内側に取付けられる装着具の正面図（実施形態２）。
【図６】ａ図は装着具一体型下衣の左側面図、ｂ図は下衣の内側に取付けられる装着具の左側面図（実施形態２）。
【図７】ａ図は装着具一体型下衣のファスナーを閉じた状態の正面図、ｂ図は装着具一体型下衣のファスナーを開けた状態の正面図（実施形態３）。
【図８】歩行支援装置の一例を示す図。
【発明を実施するための形態】
【０００７】
実施形態１
図１乃至図３の各ａ図に示すように、体重免荷式の歩行支援装置に使用される実施形態１の装着具一体型下衣１は、下衣２の内面に人体吊り上げ用の装着具３が取付けられて構成されている。即ち、下衣２と、下衣２の内面に取付けられた装着具３とを備えて構成された装着具一体型下衣１である。
下衣２は、下半身に着る服であり、例えば長ズボン、短ズボン等である。
【０００８】
装着具一体型下衣１は、例えば図８に示したような体重免荷式の歩行支援装置に使用され、装着具一体型下衣１を装着した使用者Ａが後述する左右の吊部１０；１０を介して支持テーブル１０３の人体吊下げ点１０５；１０５に連結されることにより、当該歩行支援装置を使用する使用者Ａは、体重免荷装置１０６により、体重負荷が軽減された状態で歩行可能となる。
【０００９】
図１乃至図３の各ｂ図に示すように、装着具３は、腹支持部４と、腰支持部５と、尻当部６と、尻腹支持ベルト７と、尻腰支持ベルト８と、股保持部９と、左右の吊部１０；１０とを備える。本明細書において、左右は、装着具３を装着する使用者を基準とした場合の左右をいう。
【００１０】
図１（ａ），（ｂ）に示すように、腹支持部４は、下衣２の前開口を開閉するファスナー（線ファスナー）２１の左右両側に位置する左腹部の内側及び右腹部の内面にそれぞれ別々に縫い込まれた長方形の左右の補強布４１；４１と、左右の尻腹支持ベルトガイド部４２：４２とを備えて構成される。尚、２２は下衣２の前留めボタンである。
左右の尻腹支持ベルトガイド部４２：４２は、それぞれ左右の補強布４１；４１に取付けられている。
尻腹支持ベルトガイド部４２は、例えば金属製のガイドリング４３と、ガイドリング４３と補強布４１とを連結する例えば３つの連結布４４；４４…とを備えて構成される。
【００１１】
図２（ａ），（ｂ）に示すように、腰支持部５は、下衣２の腰部の内面に縫い込まれた長方形状の補強布５１と、当該補強布５１の左右の両端部に設けられた左右の尻腰支持ベルトガイド部５２：５２とを備えて構成される。
尻腰支持ベルトガイド部５２は、例えば金属製のガイドリング５３と、ガイドリング５３と補強布５１とを連結する例えば３つの連結布５４；５４…とを備えて構成される。
【００１２】
図２（ａ），（ｂ）に示すように、尻当部６は、下衣２の尻部の中央部下に相当する位置の内面に縫い込まれている。
図４に示すように、尻当部６は、尻当部本体６１とサドル６２とを備える。
サドル６２は、装着具一体型下衣１を装着する使用者Ａの尻の左右の中央部下の凹部、つまり、使用者Ａにおける尾骨から尻の穴までの間に位置する所定の尻当位置としての凹部に嵌り込むような凸部により形成される。つまり、サドル６２が下衣２を穿く使用者Ａの尻の左右の中央部下の凹部に係合する形状に形成されている。
サドル６２は、図４に示すように、木や合成樹脂や硬質ゴム等の材料を加工して凸部形状に形成された凸体６３が尻当部本体６１を形成する例えば円形状の２つの布体、即ち、表布６４及び裏布６５の間に挟み込まれた状態で凸体６３の周囲の表布６４と裏布６５とが縫い合わされることで尻当部本体６１と一体に形成されている。図４（ａ）のサドル６２の内側の点線は等高線であり、したがって、サドル６２は頂上Ｆを有した山形形状であり、図４（ａ）のＡ−Ａ断面形状、Ｂ−Ｂ断面形状が図４（ｂ）、（ｃ）に示すような形状に形成される。即ち、サドル６２が、所定の尻当位置に係合する形状に形成されるように、下衣２の尻部の中央部下に相当する位置の内面に尻当部６の外表面６ａを対面させて当該尻当部６が下衣２に縫い込まれている。
このサドル６２が所定の尻当位置としての使用者Ａの尻の上記凹部に嵌り込むように位置されることによって、尻当部６が使用者Ａの尻の下を下から覆うように尻肉の出っ張り面の所定位置に当てられる。このように尻当部６のサドル６２が所定の尻当位置に当てられて装着具一体型下衣１が使用者Ａに正確に装着され、この装着具一体型下衣１が上方に吊られた場合には、サドル６２が使用者Ａの坐骨を正確に支持するように構成されている。
【００１３】
図３（ａ），（ｂ）に示すように、尻腹支持ベルト７は、例えば中央部が尻当部６の外表面６ａに縫い付けられて当該尻当部６が下衣２の尻部の内面に縫い付けられることで下衣２の尻部の内面に固定されて、尻当部６を中心として尻当部６より尻当部６の左右に延長するように設けられたベルトである。
図３（ｂ）に示すように、尻腹支持ベルト７の左端部７１が、下衣２の左尻部に相当する位置、及び、左の尻腹支持ベルトガイド部４２のガイドリング４３を通過することで下衣２の左腹部に相当する位置を経由して折り返されて、下衣２の左腹部と左腰部との境界位置に相当する吊位置に至って左の吊部１０に連結される。
同様に、尻腹支持ベルト７の右端部７２が、下衣２の尻右部に相当する位置、及び、右の尻腹支持ベルトガイド部４２のガイドリング４３を通過することで下衣２の右腹部に相当する位置を経由して折り返されて、下衣２の右腹部と右腰部との境界位置に相当する吊位置に至って右の吊部１０に連結される（図１（ａ）参照）。
【００１４】
図３（ａ），（ｂ）に示すように、尻腰支持ベルト８は、例えば中央部が尻当部６の外表面６ａに縫い付けられて当該尻当部６が下衣２の尻部の内面に縫い付けられることで下衣２の尻部の内側に固定されて、尻当部６を中心として尻当部６より尻当部６の左右に延長するように設けられたベルトである。
図３（ａ）に示すように、尻腰支持ベルト８の左端部８１が、下衣２の左尻部に相当する位置、下衣２の左下腹部の内側に取付けられた金属製のガイドリング４５を通過することで下衣２の左下腹部に相当する位置を経由して折り返され、さらに、左の尻腰支持ベルトガイド部５２のガイドリング５３を通過することで下衣２の左腰部に相当する位置を経由して折り返され、下衣２の左腹部と左腰部との境界位置に相当する吊位置に至って左の吊部１０に連結される。
同様に、尻腰支持ベルト８の右端部８２が、下衣２の右尻部に相当する位置、下衣２の右下腹部の内側に取付けられた金属製のガイドリング４５を通過することで下衣２の右下腹部に相当する位置を経由し折り返され、さらに、右の尻腰支持ベルトガイド部５２のガイドリング５３を通過することで下衣２の右腰部に相当する位置を経由して折り返され、下衣２の右腹部と右腰部との境界位置に相当する吊位置に至って右の吊部１０に連結される（図１（ａ）；図２（ａ）参照）。
【００１５】
図３（ａ），（ｂ）に示すように、股保持部９は、尻当部６より当該尻当部６の左右に延長するように尻当部６に連結されるとともに、股保持部９の左部分が、下衣２の股下に相当する位置から下衣２の左脚前側の付け根に相当する位置に沿って下衣２の左腰部に相当する位置まで延長するように下衣２の内面に縫い付けられて取付けられ、かつ、股保持部９の右部分が、下衣２の股下に相当する位置から下衣２の右脚前側の付け根に相当する位置に沿って下衣２の右腰部に相当する位置まで延長するように下衣２の内面に縫い付けられて取付けられる。
尚、股保持部９は、股下当部９１と脚付け根保持部９２とを備え、下衣２の股下に相当する位置には、使用者Ａが吊られた状態で股下が痛くならないように、柔らかい材質でかつ幅広の軟質ベルトにより形成された股下当部９１が縫い付けられており、下衣２の脚の付け根に相当する位置には、股下当部９１に連結された巾狭の脚付け根保持部９２が縫い付けられている。
【００１６】
図３（ａ），（ｂ）に示すように、左右の吊部１０；１０は、それぞれ、吊ベルト１１と、吊ベルト１１の一端に設けられた金属製の連結リング１２と、吊ベルト１１の他端に設けられたフックなどの連結具１３とを備える。
そして、吊位置に至った尻腹支持ベルト７の左端部７１と尻腰支持ベルト８の左端部８１とが左の吊部１０の連結リング１２に連結されるとともに、吊位置に至った尻腹支持ベルト７の右端部７２と尻腰支持ベルトの右端部８２とが右の吊部１０の連結リング１２に連結されて、これら左右の吊部１０；１０の連結具１３；１３が例えば図８に示した体重免荷式の歩行支援装置装置の人体吊下げ点１０５；１０５に連結されることにより、装着具一体型下衣１を装着した使用者Ａは、体重免荷式の歩行支援装置により体重が軽減された状態で歩行できるようになる。
【００１７】
使用者Ａに装着された装着具一体型下衣１の左右の吊部１０；１０が歩行支援装置の体重免荷装置により吊り上げられた場合に、尻腹支持ベルト７、尻腰支持ベルト８が吊り上げられるのに伴って、尻当部６、尻腹支持ベルト７、尻腰支持ベルト８、腹支持部４、腰支持部５には、図３（ａ）の矢印で示したような力が加わって、腹支持部４、腰支持部５、尻当部６、尻腹支持ベルト７、尻腰支持ベルト８により、使用者Ａの腹、尻、腰がしっかりと支持されるようになる。
【００１８】
実施形態１による装着具一体型下衣１によれば、腹支持部４と腰支持部５と尻当部６と尻腹支持ベルト７と尻腰支持ベルト８と股保持部９とを有した装着具３が下衣２の内面に取付けられた構成であるので、下衣を穿く作業と装着具を装着する作業とを別々に行う必要がなく、装着具一体型下衣１を穿くだけなので、装着が容易となり、かつ、使用時に装着具３が下衣の上に露出しない装着具一体型下衣１となる。
【００１９】
また、使用者Ａに装着された装着具一体型下衣１が左右の吊部１０；１０を介して吊られた場合に、尻当部６，尻腹支持ベルト７，尻腰支持ベルト８によって使用者Ａの坐骨が支持されて使用者Ａが吊り上げられ、使用者Ａの股下に吊り上げ力による力がかかり難くなるので、股下が痛くならず、長時間の使用に耐えられる装着具一体型下衣１が得られる。さらに、尻当部６のサドル６２が使用者Ａの所定の尻当位置に当てられて装着具一体型下衣１が使用者Ａに装着されることによって、この装着具一体型下衣１が吊られた場合に、サドル６２が使用者Ａの坐骨を正確に支持するため、長時間の使用によっても股下が痛くならない装着具一体型下衣１が得られる。尚、尻当部６がサドル６２を備えない場合には、尻当部６が使用者Ａの所定の尻当位置に正確に当てられていなかったり、使用中に尻当部６が前後に位置ずれしたりすることによって、吊り上げ力が股下部に加わる股吊状態となることがあるが、尻当部６がサドル６２を備えていれば、サドル６２が所定の尻当位置Ｘに当てられている場合、サドル６２の位置が前方や後方にずれず、股吊状態となることを防止できる。
【００２０】
さらに、股保持部９を備えるので、使用者Ａの股下部分を安定に保持できる。また、股保持部９には吊り上げ力が加わらないので、股下が痛くならず、長時間の使用に耐えられる装着具一体型下衣１が得られる。
【００２１】
実施形態２
図５；６に示すように、実施形態１で説明した股保持部９を備えない構成の装着具一体型下衣１としてもよい。例えば、生地の厚さが厚い下衣２を用いる場合等、下衣２自体で使用者Ａの股下部分を安定に保持できるような場合においては、必ずしも股保持部９を設けなくてもよい。
【００２２】
実施形態３
実施形態１又は実施形態２で説明した装着具一体型下衣１の構成に加え、図７に示すように、下衣２の前側が下衣２の左右の中心線に沿って延長するように設けられた切断部２４と、切断部２４を開閉する開閉部材としてのファスナー２５とを備え、切断部２４を開くことで展開可能に構成された装着具一体型下衣１とした。
例えば、図７（ｂ）に示すように、下衣２の腹部の左右の中心から下腹部の方向に向けて延長した後に分岐して下衣２の左右の脚部の付け根側から下衣２の裾にかけて延長するように下衣２を切断し、下衣２の腹部の左右の中心から下腹部に亘って延長する中央切断部２４ａの切断縁、下腹部から左脚部に沿って裾まで延長する左側切断部２４ｂの切断縁、下腹部から右脚部に沿って裾まで延長する右側切断部２４ｃの切断縁のそれぞれに、ファスナー２５のエレメントを縫い付け、ファスナー２５のスライダーを操作することによって、各切断部２４ａ；２４ｂ；２４ｃを開閉可能なように構成され、展開可能となった装着具一体型下衣１が得られる。
このように、展開可能に構成された装着具一体型下衣１によれば、ベッドや布団に寝た状態の人の脚の下に展開した装着具一体型下衣１を敷き、ベッドや布団に寝た状態の人の下半身に簡単に装着可能な装着具一体型下衣１となる。
切断部２４を開閉する開閉部材は、ファスナー２５以外であってもよく、例えば、ボタン等であってもよい。
【００２３】
尚、ガイドリング４５、ガイドリング４３、ガイドリング５３、尻腹支持ベルト７、尻腰支持ベルト８が、装着具一体型下衣１を装着する使用者Ａに触れないように、これらガイドリング４５、ガイドリング４３、ガイドリング５３、尻腹支持ベルト７、尻腰支持ベルト８を覆うような包状部を装着具一体型下衣１の内面に形成することが好ましい。
また、使用者のウエスト調整用のベルトを設けるようにしてもよい。
【符号の説明】
【００２４】
１  装着具一体型下衣、２  下衣、３  装着具、６  尻当部、７  尻腹支持ベルト、
８  尻腰支持ベルト、９  股保持部、１０  吊部、２４  切断部、
２５  ファスナー（開閉部材）、６２  サドル、
７１  尻腹支持ベルトの左端部、７２  尻腹支持ベルトの右端部、
８１  尻腰支持ベルトの左端部、８２  尻腰支持ベルトの右端部。
【図１】
2017225505.tif 000003
【図２】
2017225505.tif 000004
【図３】
2017225505.tif 000005
【図４】
2017225505.tif 000006
【図５】
2017225505.tif 000007
【図６】
2017225505.tif 000008
【図７】
2017225505.tif 000009
【図８】
2017225505.tif 000010